(57)【要約】
【課題】  取り付ける際の作業効率を高めることができ、取付強度にも優れたスクリューグロメットを提供する。
【解決手段】  スクリューネジ（Ｓ１）と螺合してシート状の部材（Ｐ１，Ｐ２）等を挟持して固定するスクリューグロメットであって、中央に貫通孔（１１）を備える筒状部（１０）と、該筒状部の上端側に設けられる笠状の周縁部（１２）と、前記筒状部の貫通孔の下端側の開口縁近傍に形成され、貫通孔内に挿入されるスクリューネジの先端付近の雄ネジ部（Ｓ１ａ）と係合して仮保持可能な係止片（１４）と、前記笠状の周縁部の外周部に、稜線に沿って放射状に複数形成される凸状の滑り止め部（１３）とを備えるようにした。
【選択図】  図３
0003101474.tif 000002
【実用新案登録請求の範囲】
【請求項１】
スクリューネジと螺合してシート状の部材等を挟持して固定するスクリューグロメットであって、
中央に貫通孔を備える筒状部と、
該筒状部の上端側に設けられた笠状の周縁部と、
前記筒状部の貫通孔の下端側の開口縁近傍に形成され、貫通孔内に挿入されるスクリューネジの先端付近の雄ネジ部と係合して仮保持可能な係止片と、  
前記笠状の周縁部の外周部に、稜線に沿って放射状に複数形成された凸状の滑り止め部と、
を備えることを特徴とするスクリューグロメット。
【請求項２】
前記筒状部、前記笠状の周縁部、前記係止片および前記凸状の滑り止め部は、樹脂により一体的に成形されることを特徴とする請求項１に記載のスクリューグロメット。
【請求項３】
前記係止片は、前記貫通孔の円周に沿って９０度毎に中心に向かって突設された４つのツメ部で構成されることを特徴とする請求項１または請求項２に記載のスクリューグロメット。
【考案の詳細な説明】
【技術分野】
【０００１】
本考案は、スクリューネジと螺合してシート状の部材等を挟持して固定するスクリューグロメットに関する。
【背景技術】
【０００２】
従来より、紙シート製の組立式収納箱の固定具などとしてスクリューグロメットが用いられている。
従来のスクリューグロメットとしては、例えば図４に示すようなものがある。
図４は、スクリューグロメットＧ２およびスクリューネジＳ１を用いて取付対象物としての紙シート製等の部材Ｐ１，Ｐ２を固定した状態を示す断面図である。
【０００３】
図４において、スクリューグロメットＧ２は、樹脂製の筒状本体１００の一端側に、紙シート製等の部材Ｐ１，Ｐ２に穿設された挿通孔Ｈに係合される小径部１０１が形成されると共に、中央部を貫通する１０２の内壁に雌ねじ部１０２ａが形成された構成となっている。
【０００４】
このスクリューグロメットＧ２の取付手順は、まず、挿通孔Ｈの位置を合わせた状態で紙シート製等の部材Ｐ１，Ｐ２を重ね合わせ、一方の挿通孔ＨにスクリューグロメットＧ２に小径部１０１を係合させた状態で指を当てて保持する。
【０００５】
次いで、片手でスクリューネジＳ１のネジ部Ｓ１ａの先端をスクリューグロメットＧ２の小径部１０１の雌ねじ部１０２ａに軽くねじ込んで仮止めした後、ドライバーによってスクリューネジＳ１をスクリューグロメットＧ２に強くねじ込む。
これにより、紙シート製等の部材Ｐ１，Ｐ２は、スクリューネジＳ１とスクリューグロメットＧ２とに挟持されて固定することができる。    
【考案の開示】
【考案が解決しようとする課題】
【０００６】
ところが、取付作業において、スクリューグロメットＧ２は、上述のように挿通孔Ｈに押し当て指で保持した状態で、スクリューネジＳ１のネジ部Ｓ１ａの先端を指でねじ込んで仮止めする必要があるが、小さく滑り易いスクリューネジＳ１のネジ頭を指で挟んでねじ込む作業には熟練を要し、作業性に劣るという難点があった。特に、収納箱の組立工程等において多数のスクリューグロメットＧ２を取り付ける作業を行う場合には、作業者の手間が多くかかり生産効率の低下を招く虞もあった。  
【０００７】
また、スクリューグロメットＧ２は樹脂で形成されており、雌ねじ部１０２ａの強度も比較的弱いため、スクリューネジＳ１をきつく締めすぎたり、紙シート製等の部材Ｐ１，Ｐ２に力が加わると容易にネジ山が壊れてスクリューグロメットＧ２が外れやすくなるという難点があった。
【０００８】
本考案は、上記問題点を解決すべく案出されたものであり、取り付ける際の作業効率を高めることができ、取付強度にも優れたスクリューグロメットを提供することを主な目的とする。
【課題を解決するための手段】
【０００９】
上記目的を達成するために、この考案に係るスクリューグロメットは、スクリューネジ（Ｓ１）と螺合してシート状の部材（Ｐ１，Ｐ２）等を挟持して固定するスクリューグロメットであって、中央に貫通孔（１１）を備える筒状部（１０）と、該筒状部の上端側に設けられた笠状の周縁部（１２）と、前記筒状部の貫通孔の下端側の開口縁近傍に形成され、貫通孔内に挿入されるスクリューネジの先端付近の雄ネジ部（Ｓ１ａ）と係合して仮保持可能な係止片（１４）と、前記笠状の周縁部の外周部に、稜線に沿って放射状に複数形成された凸状の滑り止め部（１３）とを備えるようにした。
【００１０】
また、前記筒状部、前記笠状の周縁部、前記係止片および前記凸状の滑り止め部は、樹脂により一体的に成形されるようにできる。なお、樹脂としては強度に優れたポリアセタールやＡＢＳ樹脂等を用い、一体成型方法としては射出成形法を用いることが望ましい。
【００１１】
また、前記係止片は、前記貫通孔の円周に沿って９０度毎に中心に向かって突設された４つのツメ部で構成されるようにできる。なお、各ツメ部の先端は、スクリューネジの雄ネジ部の谷部と確実に係合できるように鋭角とすることが好ましい。
【考案の効果】
【００１２】
請求項１に係る考案によれば、取付対象としての紙シート製等の部材の貫通孔にスクリューグロメットを当接させ、スクリューネジの雄ネジ部をスクリューグロメット側に押し込むと、雄ネジ部の先端がスクリューグロメットの係止片と係合され、仮保持の状態とすることができる。このように、スクリューグロメットおよびスクリューネジをワンタッチで仮保持状態とすることができるので作業効率を向上させることができる。
【００１３】
なお、スクリューグロメットの係止片は、雄ネジ部の何れの位置でも係合可能であるので、例えば紙シートの厚さが変わったり、紙シートを重ね合わせたような場合であっても、厚さに合わせて容易に保持することができる。
【００１４】
また、スクリューグロメットを固定する作業は、スクリューグロメット自体を強く押圧したり、あるいは上記仮保持状態からスクリューグロメットを指で押さえながらスクリューネジをドライバーを用いて螺合方向に回転させて行うこともできる。また、スクリューグロメットの笠状の周縁部の外周部に形成された凸状の滑り止め部に指をかけてスクリューグロメット自体を螺合方向に回転させることによりドライバー等の道具を用いることなく締め付けることもでき、利便性を高めることができる。なお、スクリューグロメットの外周形状は笠型となっているので、周辺物に引っかかるなどの干渉を起こし難いというメリットもある。
【００１５】
また、請求項２に係る考案によれば、スクリューグロメットを安価に大量生産することができる。
【００１６】
また、請求項３に係る考案によれば、スクリューネジの雄ネジ部がスクリューグロメット側に押し込まれた際に確実に仮保持することができ、また、スクリューネジあるいはスクリューグロメット自体が螺合方向に回転された際に、雄ネジ部と確実に螺合させることができる。
【考案を実施するための最良の形態】
【００１７】
以下、本考案の実施形態について図面を用いて説明する。
図１は本実施形態に係るスクリューグロメットの全体を示す斜視図、図２はスクリューグロメットの上面図および底面図、図３はスクリューグロメットの取り付け作業状態を示す説明図である。
【００１８】
図１および図２（ａ），（ｂ）に示すように、本実施形態に係るスクリューグロメットＧ１は、中央に貫通孔１１を備える筒状部１０と、この筒状部１０の上端側に一体に設けられる笠状の周縁部１２と、前記筒状部１０の貫通孔１１の下端側の開口縁近傍に形成され貫通孔１０内に挿入されるスクリューネジＳ１の先端付近の雄ネジ部Ｓ１ａと係合して仮保持可能な係止片１４と、前記笠状の周縁部１２の外周部に稜線に沿って放射状に複数形成される凸状の滑り止め部１３とから構成されている。
【００１９】
なお、筒状部１０、笠状の周縁部１２、係止片１４および凸状の滑り止め部１３は、ポリアセタールやＡＢＳ樹脂等により射出成形法を用いて一体的に成形されている。これにより、スクリューグロメットＧ１を安価に大量生産することができる。
【００２０】
また、本実施形態において係止片１４は、貫通孔１１の円周に沿って９０度毎に中心に向かって突設された４つのツメ部で構成されている。さらに、各ツメ部の先端は、スクリューネジＳ１の雄ネジ部Ｓ１ａの谷部と確実に係合できるように鋭角に形成されている。
【００２１】
上記のような構成のスクリューグロメットＧ１は、図３に示す作業手順で取付対象物（例えば、紙シート製等の部材Ｐ１，Ｐ２）に取り付けられる。
即ち、まず、取付対象物としての紙シート製等の部材Ｐ１，Ｐ２に穿設された挿通孔Ｈの位置を合わせた状態で部材Ｐ１，Ｐ２を重ね合わせ、一方の挿通孔ＨにスクリューグロメットＧ１の筒状部１０の端部を係合させた状態で指を当てて保持する。
【００２２】
次いで、片手でスクリューネジＳ１のネジ部Ｓ１ａの先端をスクリューグロメットＧ１の貫通孔１１に挿入して押し込む（図３（ａ）参照）。この際に、ネジ部Ｓ１ａの先端に押されてスクリューグロメットＧ１側の係止片１４が内側に撓み、雄ネジ部Ｓ１ａの何れかの谷部と係止片１４が係合され、図３（ｂ）に示すように、部材Ｐ１，Ｐ２にスクリューネジＳ１およびスクリューグロメットＧ１が仮保持された状態となる。
このように、スクリューネジＳ１をスクリューグロメットＧ１に対して押し込むだけで容易に仮保持状態とすることができるので作業効率を向上させることができる。
【００２３】
続いて、上記仮保持状態からスクリューグロメットＧ１を指で押さえてスクリューネジＳ１のネジ頭の形状に合ったプラスあるいはマイナスのドライバーを用いて螺合方向に回転させることにより、紙シート製等の部材Ｐ１，Ｐ２をスクリューネジＳ１とスクリューグロメットＧ１とで挟持した状態でしっかりと固定することができる。この際に、スクリューネジＳ１の雄ネジ部Ｓ１ａは、スクリューグロメットＧ１の係止片１４の先端と螺合して固定されることとなる。
【００２４】
また、スクリューグロメットＧ１の笠状の周縁部１２の外周部に形成された凸状の滑り止め部１３，１３・・・に指をかけてスクリューグロメットＧ１自体を螺合方向に回転させることによりドライバー等の道具を用いることなく締め付けることができ、利便性を高めることができる。
【００２５】
このように、本実施形態に係るスクリューグロメットＧ１によれば、ワンタッチで仮保持状態とすることができ、また、スクリューグロメットＧ１自体を螺合方向に回転させることでドライバー等の道具を用いることなく固定することができるので、作業効率を向上させることができ、ひいては、このスクリューグロメットＧ１を用いた紙シート製の組立式収納箱等の生産効率を高めることができる。また、スクリューグロメットＧ１の係止片は、スクリューネジＳ１の雄ねじ部Ｓ１ａの何れの位置でも係合可能であるので、例えば紙シートの厚さが変わったり、紙シートを重ね合わせたような場合であっても、厚さに合わせて容易に保持することができる。
【００２６】
また、本実施形態に係るスクリューグロメットＧ１を自動車部品の固定に用いることもでき、これにより製造コストの低減を図ることができる。
【００２７】
以上本考案者によってなされた考案を実施例に基づき具体的に説明したが、本考案は上記実施例に限定されるものではなく、その要旨を逸脱しない範囲で種々変更可能である。
例えば、本実施形態では、係止片１４を貫通孔１１の円周に沿って９０度毎に中心に向かって突設された４つのツメ部で構成する場合について述べたが、係止片の数や設ける角度は適宜変更することができる。
【００２８】
また、筒状部１０および貫通孔１１の長さは、スクリューネジＳ１の雄ネジ部Ｓ１ａを完全に押し込んだ状態で、雄ネジ部Ｓ１ａの先端が露出しない長さに選定することが美観上望ましい。
【００２９】
また、スクリューネジＳ１には、プラスやマイナスのネジ頭がないものを用いることも可能である。その場合には、スクリューグロメットＧ１に対してスクリューネジを強く押し込むか、あるいは上述のようにスクリューグロメットＧ１自体を回転させて螺合させて固定することとなる。
【図面の簡単な説明】
【００３０】
【図１】本実施形態に係るスクリューグロメットの全体を示す斜視図である。
【図２】本実施形態に係るスクリューグロメットの上面図および底面図である。
【図３】本実施形態に係るスクリューグロメットの取り付け作業状態を示す説明図である。
【図４】従来のスクリューグロメットの取付状態を示す断面図である。
【符号の説明】
【００３１】
Ｇ１  スクリューグロメット
１０  筒状部
１１  貫通孔
１２  笠状の周縁部
１３  凸状の滑り止め部
１４  係止片（ツメ部）
Ｐ１，Ｐ２  紙シート製等の部材
Ｈ    挿通孔
Ｓ１  スクリューネジ
Ｓ１ａ  雄ねじ部
【図１】
0003101474.tif 000003
【図２】
0003101474.tif 000004
【図３】
0003101474.tif 000005
【図４】
0003101474.tif 000006